(57)【要約】【課題】  従来の管材連結用クランプ金具では、２本のパイプを所定の角度で固定して連結するため、別途ストッパを揺動自在に設けなけており、製造に手間がかかりコスト高になる。また、新たな部品を設けると、取り扱いが煩雑になるだけでなく、現場での使用に際して破損や故障の原因になりやすい。【解決手段】  固定部に回動可能に設けたボルトに螺合したナットで可動部を締め付けてパイプを固定する一対のクランプを、該固定部同士を連結具で可回動に連結したものであって、連結具は、各クランプの固定部に可回動に設けられ、固定部と可動部とによって形成されパイプが締め付けられる状態におけるパイプ移動阻止空間に、両端部を臨ませる。若しくは、連結具の一端を一方のクランプの固定部に固定し、他端を他方のクランプの固定部と可動部とによって形成されパイプが締め付けられる状態におけるパイプ移動阻止空間に臨ませる。【選択図】        図１
2011026816.tif 000002
【特許請求の範囲】
【請求項１】
２本のパイプを任意の角度で連結することを目的とするもので、固定部と該固定部に可回動に連結した可動部とによって構成し、該固定部に回動可能に設けたボルトに螺合したナットで該可動部を締め付けてパイプを固定する一対のクランプを、該固定部同士を連結具で可回動に連結したものであって、連結具は、各クランプの固定部に可回動に設けられ、固定部と可動部とによって形成されパイプが締め付けられる状態におけるパイプ移動阻止空間に、両端部を臨ませたことを特徴とするパイプ連結クランプ。
【請求項２】
２本のパイプを任意の角度で連結することを目的とするもので、固定部と該固定部に可回動に連結した可動部とによって構成し、該固定部に回動可能に設けたボルトに螺合したナットで該可動部を締め付けてパイプを固定する一対のクランプを、該固定部同士を連結具で可回動に連結したものであって、連結具は、一端を一方のクランプの固定部に固定し、他端を他方のクランプの固定部と可動部とによって形成されパイプが締め付けられる状態におけるパイプ移動阻止空間に、臨ませたことを特徴とするパイプ連結クランプ。
【発明の詳細な説明】
【技術分野】
【０００１】
本発明は、建築現場の足場などを組み立てる場合に、２本のパイプを所定の角度で固定して連結するクランプの改良に関する。
【背景技術】
【０００２】
従来より、２本のパイプを連結するためのクランプとしては種々の構造のものがある。一般的には、固定部と該固定部に可回動に連結した可動部とによって構成し、該固定部に回動可能に設けたボルトに螺合したナットで該可動部を締め付けてパイプを固定するクランプが広く利用されている。このようなクランプを２つ固定部同士を連結し、各クランプでそれぞれパイプを固定することによって２本のパイプの連結が行われている。
【０００３】
２つのクランプの連結には、可回転に連結したものや９０°に固定して連結したものがある。また、特許文献１に示すように所定の任意の角度で連結固定できる構造のものがある。特許文献１に示す管材連結用クランプ金具は、クランプの一方にクランプ同士の回動を阻止するストッパを揺動自在に取り付け、他方のクランプには該ストッパに係合する係合部を設けた構造としている。ストッパは、パイプを締め付ける際に締め付けに伴って若干移動し、係合部に係合して所定の角度に固定されることになる。
【先行技術文献】
【特許文献】
【０００４】
【特許文献１】特開平８−１２８１９４号公報
【発明の概要】
【発明が解決しようとする課題】
【０００５】
上述した管材連結用クランプ金具のように、２本のパイプを所定の角度で固定して連結するには、別途ストッパを揺動自在に設けなければならず、製造に手間がかかりコスト高になる問題があった。また、新たな部品を設けると、取り扱いが煩雑になるだけでなく、現場での使用に際して破損や故障の原因になりやすいなどの問題も有していた。
【課題を解決するための手段】
【０００６】
そこで本発明者は上記課題に鑑み鋭意研究した結果、本発明を成し得たものであり、その特徴とするところは、２本のパイプを任意の角度で連結することを目的とするもので、固定部と該固定部に可回動に連結した可動部とによって構成し、該固定部に回動可能に設けたボルトに螺合したナットで該可動部を締め付けてパイプを固定する一対のクランプを、該固定部同士を連結具で可回動に連結したものであって、連結具は、各クランプの固定部に可回動に設けられ、固定部と可動部とによって形成されパイプを締め付けて固定された状態でのパイプ挟持空間に、両端部を臨ませたこと。
【０００７】
或いは、２本のパイプを任意の角度で連結することを目的とするもので、固定部と該固定部に可回動に連結した可動部とによって構成し、該固定部に回動可能に設けたボルトに螺合したナットで該可動部を締め付けてパイプを固定する一対のクランプを、該固定部同士を連結具で可回動に連結したものであって、連結具は、一端を一方のクランプの固定部に固定し、他端を他方のクランプの固定部と可動部とによって形成されパイプを締め付けて固定された状態でのパイプ挟持空間に臨ませたことにある。
【０００８】
ここで、本明細書中でいう「連結具」とは、２つのクランプを固定部同士を可回転に連結する部材をいう。この点に関しては、２つのクランプを回動自在に連結した従来のパイプ連結用のクランプと同じであるが、本発明においては、連結具の少なくとも一端側をクランプによってパイプが締め付けられる状態に位置するパイプ移動阻止空間に臨ませることにより、パイプの固定を連結具に担わせることが特徴である。
【０００９】
パイプを連結具で固定することにより、２本のパイプを所定の角度で固定させるには、各クランプに対し連結具を可回転に設けた場合は、各クランプの固定部側の端部をそれぞれパイプ移動阻止空間に臨ませる。また、連結具の一端をクランプの一方に固定し、他端側を他方のクランプに可回転に設けた場合は、他端側の端部だけをパイプ移動阻止空間に臨ませればよい。
【００１０】
連結具の端部をパイプ移動阻止空間に臨ませることにより、連結具でパイプを固定することは、必ずしも連結具だけでパイプを固定することではなく、２本のパイプが相互に回動するのを阻止するだけでもよい。例えば、連結具の端面にパイプが嵌り込む溝を設けた場合である。この場合、パイプはクランプの固定部と可動部のパイプ支持部で固定され、パイプ相互の回動は溝によって阻止されることになる。つまり、パイプ移動阻止空間に臨ませることは、パイプそのものやその周辺に連結具を位置させることで、パイプを固定した状態から移動しないようにすることをいう。
【発明の効果】
【００１１】
本発明に係るパイプ連結クランプは、２つのクランプを可回転に連結した従来の連結用クランプと同様の構造であるため、コストがほとんどかからず安価に提供することができる。また、ストッパのような特別な部品を設けていないため、現場での粗雑な扱いに対しても破損したり、任意の角度で連結固定できる機能が失われることがほとんどなく、再利用を繰り返しても安定した品質を維持することが可能となるなど極めて有益な効果を有するものである。
【図面の簡単な説明】
【００１２】
【図１】本発明に係るパイプ連結クランプの一実施例を示す正面図である。（実施例１）
【図２】本発明に係るパイプ連結クランプにおける連結具の一例を示す斜視図である。
【図３】（ａ）（ｂ）はそれぞれ連結具の他の実施例を示す正面図である。（実施例２）
【図４】連結具のさらに他の実施例を示す正面図である。（実施例３）
【図５】本発明に係るパイプ連結クランプの他の実施例を示す正面図である。（実施例４）
【発明を実施するための形態】
【００１３】
本発明に係るパイプ連結クランプは、２つのクランプを可回転に連結する連結具の両端部を、クランプによってパイプが締め付けられる状態におけるパイプ移動阻止空間に臨ませたこと。若しくは、連結具の一端をパイプ移動阻止空間に臨ませ他端を固定することで上記課題を解決した。
【実施例１】
【００１４】
図１は、本発明に係るパイプ連結クランプ１の一実施例を示すもので、２つのクランプＣを連結具２で可回動に連結した構造である。この連結具２は、各クランプＣの固定部Ｃ１に回動可能に連結し、両端部をそれぞれパイプ移動阻止空間３に臨ませている。これによって、固定部Ｃ１に回動可能に設けたボルトＢに螺合したナットＮで可動部Ｃ２を締め付けたとき、パイプＰは連結具２の端部に締め付けられる。各クランプＣでパイプＰを締め付けることで、２本のパイプＰは連結具２を介して固定され、任意の角度で保持することができる。
【００１５】
連結具２としては、例えば図２に示す２つの部材を、２つのクランプＣの固定部Ｃ１の開口部に嵌め込んで溶接で固定する。本例では、パイプＰや固定部Ｃ１の底面に対して滑りにくくするために、これらに接する表裏面に複数の溝を刻設している。
【実施例２】
【００１６】
パイプＰを締め付けたときに連結具２を固定する手段として、図３（ａ）に示すように連結具２の一方の端面にパイプＰの嵌込溝２１を設けることで連結具２の回動を阻止することができる。また、２本のパイプＣを９０°に連結させる場合には、同図（ｂ）のように連結具２の両端面に嵌込溝２１を直交させて設けるようにしてもよい。
【実施例３】
【００１７】
連結具２は、各クランプＣに対して可回動に設けるだけでなく、一方のクランプＣに固定してもよい。例えば図４に示すように連結具２の一方の端部を固定部２２としてネジ、リベット、溶接などでクランプＣの固定部Ｃ１に固定する。この連結具２を用いると、可動側のクランプＣから先にパイプＰを締め付ければ、固定側のクランプＣを任意の角度で固定させることができ、固定側のクランプＣにパイプＰを取り付けて締め付ける際の作業を容易にすることができる。
【実施例４】
【００１８】
連結具２の固定部２２をクランプＣの一方に固定した場合、図５に示すように連結具２の可動側の周面に角度を表示しておけば、可動側のクランプＣに対する固定側のクランプＣの角度を明示することができ、パイプＰを連結する際の角度設定を容易且つ確実にすることが可能となる。
【符号の説明】
【００１９】
Ｃ  クランプ
Ｃ１  固定部
Ｃ２  可動部
Ｐ  パイプ
１  パイプ連結クランプ
２  連結具
２１  嵌込溝
２２  固定部
３  パイプ移動阻止空間
【図１】
2011026816.tif 000003
【図２】
2011026816.tif 000004
【図３】
2011026816.tif 000005
【図４】
2011026816.tif 000006
【図５】
2011026816.tif 000007